(57)【要約】      （修正有）【課題】ＬＥＤの数量を増やしたり、光反射シートを増設しなくても、輝度を高めることができる照明装置を提供する。【解決手段】長尺状を呈し、長手方向に沿って設置面１１が形成される基部と、該基部の設置面１１に取り付けられる少なくとも１つの回路板２０と、所定間隔をおいて該回路板２０に取り付けられる複数のＬＥＤ３０と、該基部に取り付けられ、該ＬＥＤ３０と回路板２０とをカバーする集光カバーと、該基部及び集光カバーの両端に取り付けられる２つの口金５０とを備え、前記集光カバーは、弧状の長尺板材であると共に、透光性を有し、前記ＬＥＤ３０と対応する位置に、集光レンズ部４１が長手方向に沿って形成されることを特徴とする。【選択図】図３
0003150997.tif 000002
【実用新案登録請求の範囲】
【請求項１】
長尺状を呈し、長手方向に沿って設置面（１１）が形成される基部（１０）と、該基部（１０）の設置面（１１）に取り付けられる少なくとも１つの回路板（２０）と、所定間隔をおいて該回路板（２０）に取り付けられる複数のLED（３０）と、該基部（１０）に取り付けられ、該LED（３０）と回路板（２０）とをカバーする集光カバー（４０）と、該基部（１０）及び集光カバー（４０）の両端に取り付けられる２つの口金（５０）とを備え、
前記集光カバー（４０）は、弧状の長尺板材であると共に、透光性を有し、前記LED（３０）と対応する位置に、集光レンズ部（４１）が長手方向に沿って形成されることを特徴とする集光カバーを備えた照明装置。
【請求項２】
前記基部（１０）における設置面（１１）と反対する面に放熱フィン（１２）が凸設されることを特徴とする請求項１に記載の集光カバーを備えた照明装置。
【考案の詳細な説明】
【技術分野】
【０００１】
本考案は、特にカバーに集光レンズ部を設けることにより、集光効果を高めた照明装置に関するものである。
【背景技術】
【０００２】
蛍光灯は光源の一種であり、主に照明器具として使用され、使用する時は、該蛍光灯から発せられた光により照明する。
従来の蛍光灯は低価格であるが、水銀などの汚染物質が使用されているので、環境を汚染してしまう恐れがあった。また、エネルギーコストの上昇や、環境保護への意識の高まりから、消費電力が低く、且つ使用寿命が長い照明装置が求められていた。現在では、近い将来、小型、低消費電力及び長寿命といったメリットを有するLED（発光ダイオード）を光源とした照明装置が照明の主流となると考えられている。
【０００３】
従来のLED式照明装置は主に、長尺状の基部と、該基部に取り付けられる少なくとも１つの回路板と、該回路板に取り付けられる複数のLEDと、透光性を有し、該基部に取り付けられて回路板とLEDをカバーする半円形のカバーとを備え、該LEDから発した光が前記カバーを透過して外部へ照射されるものである。
【０００４】
また、前記従来のLED式照明装置の輝度を高める方法としては、以下に示すような方法が挙げられる。
回路板に取り付けるLEDの数量を増やすことにより輝度を高める。
照明装置の内部における複数のLEDの近傍に光反射シートを設置し、LEDから発した光を目標照明方向に反射させて集光することにより、目標照明方向の輝度を高める。
【考案の開示】
【考案が解決しようとする課題】
【０００５】
しかしながら、上記従来の方法には、以下のような欠点がある。
LEDの数量が増えると、それに伴いコストも上昇してしまう。
光反射シートを設置するには、金型を別途開発する必要があるので、金型の開発費用や製作費用によりコストが増大するだけでなく、構造が複雑になってしまい、組み立て作業に手間がかかる。
【０００６】
そこで、案出されたのが本考案であって、カバーに集光レンズ部を設けることにより、LEDの数量を増やしたり光反射シートを増設したりしなくても、輝度を高めることができる照明装置を提供することを目的としている。
【課題を解決するための手段】
【０００７】
本願の請求項１の考案は、長尺状を呈し、長手方向に沿って設置面（１１）が形成される基部（１０）と、該基部（１０）の設置面（１１）に取り付けられる少なくとも１つの回路板（２０）と、所定間隔をおいて該回路板（２０）に取り付けられる複数のLED（３０）と、該基部（１０）に取り付けられ、該LED（３０）と回路板（２０）とをカバーする集光カバー（４０）と、該基部（１０）及び集光カバー（４０）の両端に取り付けられる２つの口金（５０）とを備え、
前記集光カバー（４０）は、弧状の長尺板材であると共に、透光性を有し、前記LED（３０）と対応する位置に、集光レンズ部（４１）が長手方向に沿って形成されることを特徴とする集光カバーを備えた照明装置、を提供する。
【０００８】
本願の請求項２の考案は、前記基部（１０）における設置面（１１）と反対する面に放熱フィン（１２）が凸設されることを特徴とする請求項１に記載の集光カバーを備えた照明装置、を提供する。
【考案の効果】
【０００９】
本考案は上記の課題を解決するものであり、集光カバーにLEDから側面へ発した光を所定方向に集光する集光レンズ部が設けられることから、LEDの使用量を増やさずに照明位置や物体へ照射する光量を増やすことができるので、目標の照明位置や物体における照度を向上させることができる。更に、前記集光レンズ部は、集光カバーに一体形成されることから、集光レンズ部を製造するための金型の開発や製造にかかる費用を節約することができるので、生産コストを増加させることなく、照明装置の輝度を向上させることができる。
【図面の簡単な説明】
【００１０】
【図１】本考案に係る集光カバーを備えた照明装置の分解斜視図である。
【図２】本考案に係る集光カバーを備えた照明装置の断面図である。
【図３】本考案に係る集光カバーを備えた照明装置の斜視透視図である。
【図４】本考案に係る集光カバーを備えた照明装置の使用状態を示す図である。
【考案を実施するための形態】
【００１１】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１２】
図１は本考案に係る集光カバーを備えた照明装置の分解斜視図であり、図２は本考案に係る集光カバーを備えた照明装置の断面図であり、図３は本考案に係る集光カバーを備えた照明装置の斜視透視図であり、図４は本考案に係る集光カバーを備えた照明装置の使用状態を示す図である。
【００１３】
図１に示すように、本考案に係る集光カバーを備えた照明装置は、基部（１０）と、少なくとも１つの回路板（２０）と、複数のLED（３０）と、集光カバー（４０）と、２つの口金（５０）とを備えるものである。
図２に示すように、前記基部（１０）は、長尺状を呈し、長手方向に沿って設置面（１１）が設けられると共に、該設置面（１１）と反対する面に放熱フィン（１２）が凸設される。
【００１４】
前記回路板（２０）は、前記基部（１０）における設置面（１１）に取り付けられるものであり、本実施例においては、該設置面（１１）に３つの回路板（２０）が直列にねじ（２１）により固定されると共に、隣接する２つの回路板（２０）はリード線（２２）により電気接続され、また、最も端に位置する１つの回路板（２０）の端部に電源用リード線（２３）が接続される。
【００１５】
前記複数のLED（３０）は、前記回路板（２０）に所定間隔をおいて一列に設置されると共に、前記集光カバー（４０）は、透光性を有する弧状の長尺部材であり、該LED（３０）と前記回路板（２０）とをカバーするように、その内孤面が前記基部（１０）における設置面（１１）側へ向くよう該基部（１０）に取り付けられる。また、前記集光カバー（４０）には、長手方向に沿って集光レンズ部（４１）が設けられ、該集光レンズ部（４１）は、前記LED（３０）に対応するように位置する。
【００１６】
図３に示すように、前記各口金（５０）は、筒体（５１）と、該筒体（５１）の一端に設けられる２つの端子（５２）とを有し、該パイプ体（５１）における、端子（５２）と反対する他端に収容空間（５１１）が凹設され、該２つのパイプ体（５１）は、該収容空間（５１１）を介して前記基部（１０）及び集光カバー（４０）の両端に被嵌され、また、前記電源用リード線（２３）は、１つの口金（５０）に接続されて該口金（５０）と電気接続される。
【００１７】
図４に示すように、本考案に係る集光カバーを備えた照明装置は、互いに対向する２つのソケット（６１）を具備する照明器具（６０）に挟着して使用するものであり、照明装置の両端に位置する端子（５２）をそれぞれ対応するソケット（６１）に挿設することにより、照明装置に対して給電を行う。
【産業上の利用可能性】
【００１８】
本考案は上記の構成を有することから、LEDから照射された光が集光レンズ部により集光されるので、輝度を上昇させることができる。
【符号の説明】
【００１９】
１０基部
１１設置面
１２放熱フィン
２０回路板
２１ねじ
２２リード線
２３電源用リード線
３０LED
４０集光カバー
４１集光レンズ部
５０口金
５１筒体
５１１収容空間
５２端子
６０照明器具
６１ソケット
【図１】
0003150997.tif 000003
【図２】
0003150997.tif 000004
【図３】
0003150997.tif 000005
【図４】
0003150997.tif 000006